(57)【特許請求の範囲】
【請求項１】
円柱状又は円筒状であって、長手方向の両端面から突出する凸部を有する製品を２個以上梱包して輸送するための輸送用梱包容器に使用する梱包具であって、
該梱包具は、梱包される製品の長手方向に沿った側面を構成する４個以上の段ボール紙から形成された長側面体と、梱包される製品の短手方向に沿った側面を構成する２個の段ボール紙から形成された短側面体と、前記長側面体間に架け渡されるようにして設置され、梱包される製品を載置する２個以上の製品載置体とを備えており、
前記製品載置体は、縦断面が略Ｕ字状の載置部と、該載置部の両端に形成された固定部とを有し、該固定部は、前記長側面体に固定されており、
前記長側面体と前記短側面体には、各々切り込みが形成されており、該切り込みを利用して、４個以上の前記長側面体と２個の前記短側面体とが井桁状に組み合わされるものであって、
前記２個の短側面体は、梱包される製品の前記凸部が該短側面体に接触するのを防ぐための切欠きが複数個形成されていると共に、隣り合う梱包される製品の短手方向中間部に位置する箇所に、２個の前記長側面体の切り込みが嵌挿されるための１個の前記切り込みが形成されていることを特徴とする梱包具。
【請求項２】
製品載置体は、段ボール紙から形成されており、載置部の長手方向には、所定の間隔で複数の折り曲げ線が形成されていることを特徴とする請求項１に記載の梱包具。
【請求項３】
縦断面が略Ｕ字状の載置部に、梱包される製品の側面が面接触して載置されることを特徴とする請求項１又は２に記載の梱包具。
【発明の詳細な説明】
【技術分野】
【０００１】
本発明は、ガラス製の長尺な棒や単結晶シリコン棒等の円柱状又は円筒状あるいは側面に曲面を有する製品を梱包して輸送するための輸送用梱包容器に使用する梱包具に関するものである。
【背景技術】
【０００２】
図８に示すように、長尺なロール状製品１１を輸送する輸送用梱包容器の梱包具２０として、底板１２の両端部に、ロール状製品１１の支持軸１３の両端を支持するＵ字状の切り込みが形成されている支持部１４、１４を備えた端部板１５、１５を立設したものが従来から知られている（特許文献１）。
【０００３】
上記特許文献１に記載の梱包具２０は、ロール状製品１１の周面は底板１２と接触しておらず、支持軸１３が支持部１４に接触しているのみなので、ロール状製品１１が光学フィルムのようなシート状物である場合に、周面にへこみや窪みが発生するのを防ぎ、製品価値を劣化させることなく、輸送することができるものであった。
【先行技術文献】
【特許文献】
【０００４】
【特許文献１】特表２００８−５１５７２７号公報
【発明の概要】
【発明が解決しようとする課題】
【０００５】
しかしながら、上記特許文献１に記載の梱包具では、長尺な製品がガラス棒やシリコン棒である場合には、両端部に自重が集中することとなり、該両端部近傍において、亀裂が発生する可能性や、断裂する可能性があった。
【０００６】
本発明は、上述した問題点を解決するためになされたものであり、ガラス製の長尺な棒や単結晶シリコン棒等の円柱状又は円筒状あるいは側面に曲面を有する製品の製品価値を劣化させることなく安全に輸送することができる輸送用梱包容器に使用する梱包具を提供することを目的としている。
【課題を解決するための手段】
【０００７】
請求項１の発明は、  円柱状又は円筒状であって、長手方向の両端面から突出する凸部を有する製品を２個以上梱包して輸送するための輸送用梱包容器に使用する梱包具であって、該梱包具は、梱包される製品の長手方向に沿った側面を構成する４個以上の段ボール紙から形成された長側面体と、梱包される製品の短手方向に沿った側面を構成する２個の段ボール紙から形成された短側面体と、前記長側面体間に架け渡されるようにして設置され、梱包される製品を載置する２個以上の製品載置体とを備えており、前記製品載置体は、縦断面が略Ｕ字状の載置部と、該載置部の両端に形成された固定部とを有し、該固定部は、前記長側面体に固定されており、前記長側面体と前記短側面体には、各々切り込みが形成されており、該切り込みを利用して、４個以上の前記長側面体と２個の前記短側面体とが井桁状に組み合わされるものであって、前記２個の短側面体は、梱包される製品の前記凸部が該短側面体に接触するのを防ぐための切欠きが複数個形成されていると共に、隣り合う梱包される製品の短手方向中間部に位置する箇所に、２個の前記長側面体の切り込みが嵌挿されるための１個の前記切り込みが形成されていることを特徴としている。
【０００８】
本発明に係る梱包具を構成する製品載置体は、縦断面が略Ｕ字状の載置部に円柱状又は円筒状を有する製品を載置することにより、製品価値を劣化させることなく安全に輸送することができる。
【０００９】
また、梱包具を構成する長側面体と短側面体は、段ボール紙により形成されているので、安価に製造することができると共に、耐久性を確保することができる。
【００１０】
請求項２の発明は、請求項１の発明において、製品載置体は、段ボール紙から形成されており、載置部の長手方向には、所定の間隔で複数の折り曲げ線が形成されていることを特徴としている。したがって、製品載置体を安価に製造することができると共に、複数の折り曲げ線を形成することによって、載置部の縦断面を略Ｕ字状にすることができる。
【００１２】
請求項３の発明は、請求項１又は２の発明において、縦断面が略Ｕ字状の載置部に、梱包される製品の側面が面接触して載置されることを特徴としている。したがって、製品の一部分に応力が集中するのを防ぎ、へこみや窪みが発生するのを防ぐことができる。
【発明の効果】
【００１４】
請求項１の発明では、製品価値を劣化させることなく安全に輸送することができ、梱包具を安価に製造することができると共に、耐久性を確保することができる。また、接着剤や粘着テープ等を使用せず簡易に長側面体と短側面体とを井桁状に組み合わせることができるので、製造コストを低減させることができる。また、製品の長手方向の両端面から突出する凸部が破損するのを防ぐことができる。また、請求項２の発明では、製品載置体を安価に製造することができると共に、載置部の縦断面を略Ｕ字状にすることができる。
【００１５】
また、請求項３の発明では、製品の一部分に応力が集中するのを防ぎ、へこみや窪みが発生するのを防ぐことができる。
【図面の簡単な説明】
【００１６】
【図１】本発明に係る梱包具を示す斜視図である。
【図２】梱包具を構成する長側面体を示す正面図である。
【図３】梱包具を構成する短側面体を示す正面図である。
【図４】製品載置体を長側面体に固定した状態を示す断面図である。
【図５】梱包具に製品を収納した状態を示す斜視図である。
【図６】製品載置体に製品を載置した状態を示す断面図である。
【図７】外箱に梱包具を収容した状態を示す斜視図である。
【図８】従来の梱包具を示す斜視図である。
【発明を実施するための形態】
【００１７】
次に、本発明の実施形態を図面に基づいて説明する。図１は、本発明に係る梱包具を示す斜視図である。図１に示すように、梱包具１０は、段ボール紙から形成され、製品の長手方向に沿った側面を構成する長側面体１、１、１と、段ボール紙から形成され、製品の短手方向に沿った側面を構成する短側面体２、２と、長側面体１、１間に架け渡されるようにして設置される製品載置体３、３とを備えている。
【００１８】
そして、短側面体２には、製品の端部が接触するのを防ぐための切欠き２ｄが形成されている。また、製品載置体３は、縦断面が略Ｕ字状となるように形成されている載置部３ｂと、この載置部３ｂの両端に形成された固定部３ａとを有しており、固定部３ａは、長側面体１に固定されている。また、製品載置体３は、載置部３ｂの長手方向に、所定の間隔で複数の折り曲げ線３ｃ、３ｃ・・が形成されている。
【００１９】
図２は、梱包具を構成する長側面体を示す正面図である。長側面体１は、略長方形状の段ボール紙を加工することにより形成されるものであり、梱包される製品の長手方向に沿った側面を構成し、下辺１ｂ側に切り込み１ｃ、１ｃが形成されており、上辺１ａ側には切り込み１ｃは形成されていない。この切り込み１ｃは、後述する短側面体２に形成されている切り込み２ｃに嵌挿されることによって、長側面体１と短側面体２とが井桁状に組み合わされるようにしている。そして、長側面体１の上辺１ａ側に製品載置体３の固定部３ａが固定されるようにしている。
【００２０】
図３は、梱包具を構成する短側面体を示す正面図である。短側面体２は、略長方形状の段ボール紙を加工することにより形成されるものであり、梱包される製品の短手方向に沿った側面を構成し、上辺２ａ側に切り込み２ｃ、２ｃ、２ｃが形成されており、下辺２ｂ側には切り込み２ｃは形成されていない。この切り込み２ｃは、前述した長側面体１に形成されている切り込み１ｃに嵌挿されることによって、長側面体１と短側面体２とが井桁状に組み合わされるようにしている。また、短側面体２の上辺２ａ側には、梱包される製品の端部が他の部材と接触するのを防ぐための切欠き２ｄ、２ｄが形成されている。
【００２１】
図４は、製品載置体３を長側面体１に固定した状態を示す断面図である。図４に示すように、段ボール紙から形成されている製品載置体３は、両側の長側面体１、１間に架け渡されるようにして設置されており、固定部３ａが、長側面体１の上辺１ａ側に固定されている。また、製品載置体３の載置部３ｂの長手方向に、所定の間隔で複数の折り曲げ線３ｃ、３ｃ・・が形成されている。この複数の折り曲げ線３ｃ、３ｃ・・の位置で内側に折り曲げ可能となることから、載置部３ｂの縦断面を略Ｕ字状に形成することができる。尚、製品載置体３は、段ボール紙以外の材質を採用することもできる。例えば、布、合成繊維、プラスチック等であってもよく、載置部３ｂの縦断面を略Ｕ字状に形成することができるものであれば、製品載置体３の材質として採用することができる。また、図４の右側においては、２枚の長側面体１、１の側面を重ね合せたものに、製品載置体３の固定部３ａを固定した例を示している。このように、長側面体１又は短側面体２は、梱包具１０に要求される強度や耐久性を考慮して複数枚重ね合わせたものを使用することができる。また、長側面体１又は短側面体２の重ね合わせる枚数に対応して長側面体１の切り込み１ｃ又は短側面体２の切り込み２ｃの幅が決定される。
【００２２】
図５は、梱包具１０に製品４を収納した状態を示す斜視図である。本発明に係る梱包具１０に梱包される製品４は、主にガラス製の長尺な棒や単結晶シリコン棒等の円柱状又は円筒状あるいは側面に曲面を有する製品であり、単結晶シリコン棒である場合には、図５に示すように長手方向の両端部に円錐状の凸部４ａ、４ａが形成されている。そして、製品４の側面４ｂの下部は、製品載置体３の載置部３ｂに面接触して載置されている。また、製品４の両方の端面４ｃ、４ｃは、短側面体２、２の裏面に当接している。さらに、製品４の円錐状の凸部４ａ、４ａは、短側面体２、２の切欠き２ｄ、２ｄから外側に突出している。尚、製品４の両方の端面４ｃ、４ｃと、短側面体２、２の裏面を当接させずに若干の隙間を設ける構成とすることもできる。
【００２３】
図６は、製品載置体３に製品４を載置した状態を示す断面図である。図６に示すように、製品載置体３は、製品４の自重によって、下方（矢印方向）に力が加えられた状態となっている。製品載置体３の載置部３ｂは、折り曲げ線３ｃ、３ｃ・・によって、縦断面が略Ｕ字状に形成された状態となっているが、製品４の自重によって、載置部３ｂの表面が更に変形して製品４の側面４ｂと面接触する状態となる。製品載置体３は段ボール紙により形成されていることから、製品４の自重によって変形させることは容易である。尚、梱包される製品４の重さに対応して製品載置体３を構成する段ボール紙の厚みが決定される。また、製品載置体３は、段ボール紙以外の材質を採用することもできる。例えば、布、合成繊維、プラスチック等であってもよく、載置部３ｂの縦断面を略Ｕ字状に形成することができ、製品４の自重によって変形させることが容易で、載置部３ｂの表面に製品４の側面４ｂを面接触させることができるものであれば、製品載置体３の材質として採用することができる。
【００２４】
図７は、外箱に梱包具を収容した状態を示す斜視図である。外箱５は、多層段ボール紙により形成された４個の側壁体５ａ、５ａ、５ｂ、５ｂが組み合わされて上部及び下部に開口を有する中空形状となっている。また、図示していないが、外箱５の下部の開口を塞ぐようにパレットを組み付け、外箱５の上部の開口を塞ぐようにキャップを組み付けることによって、輸送用梱包容器が組み立てられる。
【００２５】
尚、上記実施形態において、長側面体１と短側面体２の材質を段ボール紙としているが、これに限定されるものではない。例えば、長側面体１と短側面体２の材質として、合成樹脂を使用してもよく、プラスチック段ボールを採用することもできる。また、段ボール紙を使用する場合には、単層段ボール紙、多層段ボール紙のいずれも採用することができる。
【００２６】
また、上記実施形態においては、製品４を２個収納することができる梱包具１０を示しているが、これに限定されるものではない。例えば、製品載置体３を１個備え、製品４を１個収納することができる梱包具とすることもでき、製品載置体３を３個以上備え、製品４を３個以上収納することができる梱包具とすることもできるものであり、これも本発明に含まれる。
【産業上の利用可能性】
【００２７】
本発明の輸送用梱包容器に使用する梱包具は、ガラス製の長尺な棒や単結晶シリコン棒等の円柱状又は円筒状あるいは側面に曲面を有する製品を輸送するのに適した梱包具として使用される。
【符号の説明】
【００２８】
１  長側面体
１ａ、２ａ  上辺
１ｂ、２ｂ  下辺
１ｃ、２ｃ  切り込み
２  短側面体
２ｄ  切欠き
３  製品載置体
３ａ  固定部
３ｂ  載置部
３ｃ  折り曲げ線
４  製品
４ａ  凸部
４ｂ  側面
４ｃ  端面
５  外箱
１０、２０  梱包具
１１  ロール状製品
１２  底板
１３  支持軸
１４  支持部
１５  端部板
【図１】
0006445269.tif 000002
【図２】
0006445269.tif 000003
【図３】
0006445269.tif 000004
【図４】
0006445269.tif 000005
【図５】
0006445269.tif 000006
【図６】
0006445269.tif 000007
【図７】
0006445269.tif 000008
【図８】
0006445269.tif 000009